(57)【要約】【課題】フィルターの役割と情報入力の役割を同時に遂行することができるディスプレイフィルター及びそれを具備するディスプレイ装置を提供する。【解決手段】ディスプレイパネル前方に配置されるベース基板と、ベース基板に積層されながら少なくとも反射防止層を含む光学フィルター部と、ベース基板または光学フィルター部に積層されて使用者によるタッチ信号を感知するタッチ信号感知部とを含んで具現することで、ディスプレイフィルターとタッチ入力装置を一体化してフィルターの役割と情報入力の役割を同時に遂行することができる、ディスプレイフィルター及びそれを具備するディスプレイ装置を提供する。【選択図】図１
2009271531.tif 000002
【特許請求の範囲】
【請求項１】
ディスプレイパネルを内蔵したディスプレイ装置に使用されるディスプレイフィルターにおいて、
前記ディスプレイパネル前方に配置されるベース基板と、
前記ベース基板に積層され少なくとも反射防止層を含む光学フィルター部と、
前記ベース基板または前記光学フィルター部に積層されて被感知体によるタッチ信号を感知するタッチ信号感知部と
を含むことを特徴とする、タッチ入力機能を有するディスプレイフィルター。
【請求項２】
前記光学フィルター部が、前記ベース基板に積層される電磁波遮蔽層、近赤外線遮蔽層、ネオンライト遮蔽層、および色補正層の中で少なくとも１以上の層をさらに含むことを特徴とする、請求項１に記載のタッチ入力機能を有するディスプレイフィルター。
【請求項３】
前記タッチ信号感知部が、
前記ベース基板の視聴者側の面に第１電極層が形成される第１タッチシートと、
前記第１タッチシートとエアギャップをおいて配置されて外部から加えられるタッチ圧力によって前記第１タッチシートと接触し、透明フィルムの一面に第２電極層が形成される第２タッチシートと
を含むことを特徴とする、請求項１または２に記載のタッチ入力機能を有するディスプレイフィルター。
【請求項４】
前記第１、第２電極層が、導電性膜を含むことを特徴とする、請求項３に記載のタッチ入力機能を有するディスプレイフィルター。
【請求項５】
前記導電性膜が、ＩＴＯ膜であることを特徴とする、請求項４に記載のタッチ入力機能を有するディスプレイフィルター。
【請求項６】
前記第１、第２電極層が、導電性メッシュパターンを含むことを特徴とする、請求項３に記載のタッチ入力機能を有するディスプレイフィルター。
【請求項７】
前記導電性メッシュパターンが、銅、クロム、ニッケル、銀、モリブデン、タングステン、およびアルミニウムの中で少なくとも一つの金属材質で形成されることを特徴とする、請求項６に記載のタッチ入力機能を有するディスプレイフィルター。
【請求項８】
前記タッチ信号感知部が、
前記ベース基板のディスプレイパネル側に積層されて、被感知体が前記ディスプレイフィルターにタッチされると、そのタッチされた位置での静電容量にあたる電流を通電させる透明電極層を含むことを特徴とする、請求項１または２に記載のタッチ入力機能を有するディスプレイフィルター。
【請求項９】
前記タッチ信号感知部が、前記透明電極層から入力される電流を使用してそのタッチ位置を計算する制御部をさらに含むことを特徴とする、請求項８に記載のタッチ入力機能を有するディスプレイフィルター。
【請求項１０】
前記光学フィルター部が、曇り防止層をさらに含み、
前記曇り防止層は、前記ディスプレイパネルに対向する面に形成されて、表面の曇りを防止することを特徴とする、請求項１に記載のタッチ入力機能を有するディスプレイフィルター。
【請求項１１】
請求項３に記載されたタッチ入力機能を有するディスプレイフィルターと、
前記ディスプレイフィルターを通じてディスプレイ光を放出するディスプレイパネルと
を含むことを特徴とするディスプレイ装置。
【請求項１２】
請求項８に記載されたタッチ入力機能を有するディスプレイフィルターと、
前記ディスプレイフィルターを通じてディスプレイ光を放出するディスプレイパネルと
を含むことを特徴とするディスプレイ装置。
【発明の詳細な説明】
【技術分野】
【０００１】
本発明は、ディスプレイフィルター及びそれを具備するディスプレイ装置に関するもので、より詳細には、タッチ方式で情報を入力することができるタッチ信号感知部が一体に形成されるフィルター及びそれを具備するディスプレイ装置に関するものである。
【背景技術】
【０００２】
ディスプレイ装置は、情報化社会が発展するにつれて多様な形態で発達していて、それに対応して最近では、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）、ＶＦＤ（Ｖａｃｕｕｍ  Ｆｌｕｏｒｅｓｃｅｎｔ  Ｄｉｓｐｌａｙ）等、様々なディスプレイ装置が開発され、一部は多くの装備の表示装置として活用されている。
【０００３】
ディスプレイ装置の一例として、ＬＣＤは、薄膜トランジスター及び画素電極を形成するアレイ基板製造工程とカラーフィルター及び共通電極を形成するカラーフィルター基板製造工程を通じて、それぞれアレイ基板及びカラーフィルター基板を形成して、この二つの基板の間に液晶を介在させる液晶セル工程を経て完成される。
【０００４】
ディスプレイ装置の他の例として、ＰＤＰは、電極に印加される直流または交流電圧によって電極間のガスで放電を発生させて、それに随伴する紫外線の放射によって蛍光体を励起させて発光する。
【０００５】
ＰＤＰ装置は、その駆動特性上、電磁波及び近赤外線の放出量が多くて蛍光体の表面反射が多いのみならず、封入ガスのヘリウム（Ｈｅ）やゼノン（Ｘｅ）から放出されるオレンジ光によって色純度が陰極線管に及ばないという短所がある。したがって、ＰＤＰ装置から発生する電磁波及び近赤外線によって、人体に有害な影響を及ぼし、また、無線電話機やリモートコントローラーなどの精密器機の誤動作を誘発することもある。
【０００６】
したがって、ＰＤＰ装置から放出される電磁波と近赤外線の放出を所定値以下に抑制することが求められている。そのために、電磁波及び近赤外線を遮蔽すると同時に反射光を減少させて色純度を向上させるべく、電磁波遮蔽、近赤外線遮蔽、光表面反射防止及び／または色純度改善などの機能を有するフィルターを採用している。現在、ディスプレイ装置は、大型化される傾向にあり、室内だけではなく広告または情報伝達のために屋外用に多く使用されている。
【０００７】
最近になってディスプレイ装置は、情報を一方的に伝達することから脱して、使用者がディスプレイ装置を通じて直接情報を入力することができる入力装置が具備され、双方向通信が実現している。このような入力装置は、リモートコントローラーを使用してディスプレイ画面を見ながら情報を入力する方式と、ディスプレイ表面にタッチ入力装置を設置して画面に直接タッチして情報を入力するタッチ方式が主に使用されている。
【０００８】
現在、大型ディスプレイ装置にタッチ入力装置を設置する場合、タッチ入力装置がディスプレイ装置と別に具備され、タッチ入力装置をディスプレイ装置の表面に付着して使用する方式で使用されているが、この場合、タッチ入力装置のタッチ感が落ちてディスプレイ装置の厚さが厚くなり、使用期間が長くなるにつれてタッチ入力装置がディスプレイ装置の表面から離脱する現象が発生するという問題点がある。
【０００９】
また、ＬＣＤディスプレイ装置が屋外用として使用される場合、太陽光によってディスプレイパネル内の温度が上昇して、赤外線のようなノイズを通じて液晶の相転移などの誤動作が発生するという問題がある。
【００１０】
一方、最近になって、ＬＣＤモニター／ＴＶにもディスプレイパネルを保護するために保護ガラスを採用しようとする傾向にある。ところで、ＬＣＤモニター／ＴＶに保護ガラスを採用するようになると、保護ガラス内／外部の温度差によってＬＣＤモニター／ＴＶ内部に結露現象が発生するようになる。一般的に、ＰＤＰの場合、Ｐｏｗｅｒ−ｏｎ後、直ちにＰＤＰモジュール表面から熱が発散されて結露（曇り）を早く容易に除去することができる。しかし、ＬＣＤの場合、ＬＣＤモジュールからの放熱が少なくて結露（曇り）を除去するのが根本的に難しいという問題点がある。
【先行技術文献】
【特許文献】
【００１１】
特になし
【発明の概要】
【発明が解決しようとする課題】
【００１２】
本発明の目的は、ディスプレイフィルターにタッチパネルを一体化してフィルターの役割と情報入力の役割を同時に遂行することができるディスプレイフィルター及びそれを具備するディスプレイ装置を提供することある。
【００１３】
本発明の他の目的は、フィルターの厚さを最小化することができるディスプレイフィルター及びそれを具備するディスプレイ装置を提供することである。
【００１４】
本発明のまた他の目的は、曇り防止機能を有するディスプレイフィルター及びそれを具備するディスプレイ装置を提供することである。
【００１５】
本発明のまた他の目的は、屋外用ディスプレイ装置の誤動作を誘発する外部ノイズを遮断することができるディスプレイフィルター及びそれを具備するディスプレイ装置を提供することである。
【課題を解決するための手段】
【００１６】
上述した目的を達成するために、本発明は、映像をディスプレイするディスプレイパネル前方に配置されるディスプレイフィルターに、ディスプレイ表面をタッチして情報を入力するタッチパネルを一体に具備するという特徴がある。本発明の一態様によるタッチ入力機能を有するディスプレイフィルターは、ディスプレイパネル前方に配置されるベース基板と、ベース基板に積層されながら少なくとも反射防止層を含む光学フィルター部と、ベース基板または光学フィルター部に積層されて使用者によって加えられるタッチ信号を感知するタッチ信号感知部とを含む。
【００１７】
本発明の第１態様による抵抗膜方式のタッチ入力機能を有するディスプレイフィルターは、タッチ信号感知部がベース基板のディスプレイパネル反対側の面に第１電極層が形成される第１タッチシートと、第１タッチシートとエアギャップをおいて配置されて外部から加えられるタッチ圧力によって前記第１タッチシートと接触する、透明フィルムの面に第２電極層が形成される第２タッチシートとを含む。
【００１８】
本発明の第２態様による静電容量方式のタッチ入力機能を有するディスプレイフィルターは、タッチ信号感知部がベース基板のディスプレイパネルの方に積層されて被感知体、例えば身体一部がタッチすると、そのタッチした位置での静電容量に該当する電流を通電させる透明電極層と、透明電極層から入力される電流を使用してタッチ位置を計算する制御部とを含む。
【００１９】
本発明の付加的な態様によるタッチ入力機能を有するディスプレイフィルターは、ディスプレイパネルとディスプレイフィルターとの間の内部空間に発生する湿気によってディスプレイフィルター表面の曇りを防止する曇り防止層をさらに含むことを特徴とする。
【発明の効果】
【００２０】
上述した構成によると、本発明は、映像をディスプレイするディスプレイパネルの一面に具備されるディスプレイフィルターに、ディスプレイ表面をタッチして情報を入力するタッチ入力機能が一体に具備されて、フィルター機能と情報入力機能を同時に遂行することができる有用な効果がある。
【００２１】
また、本発明は、フィルターの各層を支持するベース基板がタッチパネルの支持体の役割を兼ねるようにして、フィルターの厚さを最小化することができる有用な効果がある。
【００２２】
また、本発明は、ディスプレイパネル前方に曇り防止層を形成することで、ディスプレイパネルと向い合っいるディスプレイフィルターの曇りを防止することができる有用な効果がある。
【図面の簡単な説明】
【００２３】
【図１】図１は、本発明の第１実施例によるディスプレイフィルターを示した断面図。
【図２】図２は、本発明の第２実施例によるディスプレイフィルターを示した断面図。
【図３】図３は、本発明の第３実施例によるディスプレイフィルターを示した断面図。
【図４】図４は、本発明の第４実施例によるディスプレイフィルターを示した断面図。
【図５】図５は、本発明の第５実施例によるディスプレイフィルターを示した断面図。
【図６】図６は、本発明の第６実施例によるディスプレイフィルターを示した断面図。
【図７】図７は、本発明の第７実施例によるディスプレイフィルターを示した断面図。
【図８】図８は、本発明の第８実施例によるディスプレイフィルターを示した断面図。
【図９】図９は、本発明の第９実施例によるディスプレイフィルターを示した断面図。
【図１０】図１０は、本発明の第１０実施例によるディスプレイフィルターを示した断面図。
【図１１】図１１は、本発明の第１１実施例によるディスプレイフィルターを示した断面図。
【発明を実施するための形態】
【００２４】
以下、添付図面を参照して本発明の好ましい実施例を詳しく説明する。
【００２５】
図１は、本発明の第１実施例によるディスプレイフィルターを示した断面図である。
【００２６】
第１実施例によるディスプレイフィルターは、ベース基板１００と、ベース基板１００の一面（一方の面）に形成されるタッチ信号感知部１１０と、タッチ信号感知部１１０の一面に形成される反射防止層１２０と、ベース基板１００の他面（他方の面）に形成される電磁波遮蔽層１３０及び色補正層１４０などを含む。
【００２７】
ベース基板１００は、透明な基材を使用することができる。具体的には、半強化ガラスを使用することができる。それ以外にも、ポリカーボネート（ＰＣ）、ポリエチレンテレフタレート（ＰＥＴ）などの透明高分子樹脂を使用することができる。このようなベース基板１００は、可視光線透過率が８０％以上の高透明性を有し、ガラス転移温度が５０℃以上の耐熱性を有することが好ましい。
【００２８】
ベース基板１００は、高分子成形物または高分子成形物の積層体を使用することができる。その種類を具体的に挙げると、ポリエチレンテレフタレート（透明）、ポリスルホン（ＰＳＦ）、ポリエーテルスルホン（ＰＥＳ）、ポリスチレン、ポリエチレンナフタレート、ポリアリレート、ポリエーテルエーテルケトン（ＰＥＥＫ）、ポリカーボネート（ＰＣ）、ポリプロピレン（ＰＰ）、ポリイミド、トリアセチル・セルロース（ＴＡＣ）、ポリメチルメタクリレート（ＰＭＭＡ）などがある。
【００２９】
このベース基板１００は、色補正層１４０と電磁波遮蔽層１３０などのフィルター機能を遂行する各層を支持する役割と、タッチ信号感知部１１０の構成部品である基板の役割を同時に遂行する。すなわち、ベース基板１００は、一つの基板でフィルター機能を遂行する各層を支持するのと同時に、タッチ入力機能を遂行するタッチ信号感知部１１０の基板の役割をすることで、ディスプレイ装置の全体厚さを減らすことができ、製造費用を節減することができる。
【００３０】
図１に示したように、タッチ信号感知部１１０は、抵抗膜方式で具現するもので、ベース基板１００の一面に第１電極層１６０を形成して構成される第１タッチシート１１２と、該第１タッチシート１１２の上側に一定エアギャップ（Ｔ）をおいて配置され、透明フィルム１８０の一面に第２電極層１７０を形成して構成される第２タッチシート１１４とを含む。
【００３１】
ここで、透明フィルム１８０は、押した後、元の状態に復元することができる弾性力を有する樹脂材質で形成することが好ましく、ＰＥＴ材質で形成することがより好ましい。そして、ベース基板１００が硬い材質で形成されるので、第２タッチシート１１４を押した時に発生する力に充分に耐えることができる支持体の役割をするようになる。
【００３２】
第１電極層１６０と第２電極層１７０は、相互に接触し、接触地点の電位値を検出できるどのような形態の導電性物質でも使用が可能で、特に、ＩＴＯ（Ｉｎｄｉｕｍ  Ｔｉｎ  Ｏｘｉｄｅ）に代表される透明導電性膜を使用することができる。
【００３３】
第１タッチシート１１２は、現在使用されているＩＴＯガラスを適用することができ、第２タッチシート１１４は、現在使用されているＩＴＯフィルムを適用することができる。
【００３４】
第１電極層１６０と第２電極層１７０は、一定エアギャップをおいて互いに向かい合うように配置され、第２タッチシート１１４を押すと、第２電極層１７０が第１電極層１６０に接触して接触した地点での電位値を検出してタッチ位置を感知する。そして、第１タッチシート１１４と第２タッチシート１１２との間には、二つのシート１１４、１１２間の間隔を維持するための複数のスペーサーを設置することができる。
【００３５】
反射防止層１２０は、透明フィルム１８０の表面に形成して視聴者が見る方向の最外側に配置して、外部からディスプレイ表面に入射する外光がディスプレイ表面で反射することを最小化して、光反射による表示品質の低下を防止する。
【００３６】
このような反射防止層１２０は、外部衝撃からディスプレイを保護するハードコーティング層で対処することができ、反射防止層１２０の一面にハードコーティング層を積層することができる。反射防止層１２０に、近赤外線遮断フィルム及びネオンライト遮蔽フィルムなどをともに積層して構成することができる。
【００３７】
電磁波遮蔽層１３０は、ベース基板１００の下面に形成して電磁波を遮蔽するためのもので、導電性メッシュフィルムまたは金属薄膜と高屈折率透明薄膜を積層した多層透明導電膜を使用することができる。
【００３８】
導電性メッシュフィルムは、接地された金属メッシュ、合成樹脂や金属繊維のメッシュに金属を被覆したものを含むことができる。ここで、金属の材質としては、銅、クロム、ニッケル、銀、モリブデン、タングステン、アルミニウムなど電気導電性が優秀で加工性がある金属なら、どんな金属でも使用が可能である。
【００３９】
そして、多層透明導電膜は、ＩＴＯに代表される高屈折透明薄膜を電磁波遮蔽のために使用することができる。多層透明導電膜には、金、銀、銅、白金、パラジウムなどの金属薄膜と、酸化インジウム、酸化第２スズ、酸化亜鉛などの高屈折率透明薄膜を相互に積層した多層薄膜などがある。
【００４０】
金属薄膜には、銀（Ａｇ）または銀を含んだ合金からなる薄膜層を使用することができる。特に、銀は、導電性、赤外線反射性及び多層積層をした時に可視光線透過性が優秀であるので、主に使用されている。しかし、銀は、化学的物理的安定性が低く、周囲の環境の汚染物質、水蒸気、熱、光などにより劣化するので、銀に金、白金、パラジウム、銅、インジウム、スズなどの金属を１種以上含んだ合金を使用することが好ましい。
【００４１】
多層透明導電膜を使用した場合、太陽光によって屋外用ディスプレイ装置のディスプレイパネル内の温度が上昇して、液晶の相転移などが発生する問題点を防止するのに効果がある。
【００４２】
電磁波遮蔽層１３０の後面には、赤色（Ｒ）、緑（Ｇ）、青色（Ｇ）の量を減少させたり調節したりして色の均衡を変化させるたり調整したりする色補正層１４０を粘着層１５０によって結合することができる。
【００４３】
一般的に、パネルアセンブリー内のプラズマから発生する赤色の可視光線は、オレンジ色で現われる傾向がある。本発明の実施例による色補正層１４０は、５８０〜６００ｎｍの波長帯を有するオレンジ色を吸収することができるネオンカット色素を含むようにすることで、ネオン光放出の減少を通じてプラズマディスプレイパネルの色純度及び色再現率を向上させることができる。
【００４４】
色補正層１４０は、ディスプレイの色再現範囲を増加させて画面の鮮明度を向上させるために多様な色素を使用することができる。色補正層に使用される色素の種類は、アントラキノン系、アゾ系、ストリル系、フタロシアニン系、メチン系などのネオン光遮蔽機能を有した有機色素があり、それ以外にも多様な色素を適用することができる。色素の種類と濃度は、色素の吸収波長、吸収係数、ディスプレイに要求される透過特性によって決定されることなので、特定数値に限定されない。
【００４５】
前記で説明した各層を貼り合わせる時、粘着層１５０を使用することができる。このような粘着層の例として、アクリル系接着剤、シリコン系接着剤、ウレタン系接着剤、ポリビニルブチラール接着剤（ＰＭＢ）、エチレン酢酸ビニル系接着剤（ＥＶＡ）、ポリビニルエーテル、飽和無定形ポリエステル、メラミン樹脂などを挙げることができる。
【００４６】
図１に示された図では、電磁波遮蔽層１３０と色補正層１４０との間に粘着層１５０を具備し、このような粘着層１５０は、他の層との間にも適用することができる。
【００４７】
前記で説明したタッチ信号感知部１１０を具備したフィルターは、多様な層を含んで構成することができる。フィルターの多様な層を構成層として含むことができ、各構成層の積層順序は一例を示しただけで、場合によって多様な積層順序をとることができる。
【００４８】
このように構成されるフィルターは、抵抗膜方式タッチ信号感知部１１０を一体に形成して、フィルターの役割とディスプレイの表面をタッチして情報を入力するのと同時に遂行することができるようになる。そして、フィルターの構成部品であるベース基板がタッチ信号感知部１１０の支持体の役割を兼ねるようになるので、一つの基板でフィルターの各層を支持することと同時に、タッチ信号感知部１１０を支持する役割を遂行することができて、ディスプレイの全体厚さを減らすことができる。
【００４９】
図２は、本発明の第２実施例によるディスプレイフィルターを示した断面図である。
【００５０】
第２実施例によるディスプレイフィルターは、ベース基板１００と、ベース基板１００の一面に形成される電極層２００と、タッチ信号感知部２１０の一面に形成される反射防止層１２０と、ベース基板１００の他面に形成される電磁波遮蔽層１３０及び色補正層１４０などを含む。
【００５１】
ベース基板１００は、第１実施例で説明したベース基板と同一な構造を有し、ディスプレイ装置のフィルター機能をする各種層または膜を支持するとともにタッチ信号感知部２１０の支持体の役割を兼ねる。
【００５２】
タッチ信号感知部２１０は、ベース基板１００の一面に電極層２００を形成して構成される第１タッチシート２２２と、第１タッチシート２２２と一定エアギャップ（Ｔ）をおいて配置され、透明フィルム２３０の一面に導電性メッシュパターン２２０を形成して構成される第２タッチシート２２４とを含む。
【００５３】
ここで、導電性メッシュパターン２２０は、ベース基板１００と透明フィルム２３０の両方に形成することができ、ふたつの中でいずれか一方に形成することもできる。
【００５４】
そして、透明フィルム２３０の他面には、反射防止層１２０を形成することができる。この反射防止層１２０は、透明フィルム２５０に形成され、透明フィルム２５０が第２タッチシート２２４の透明フィルム２３０と粘着層２４０によって積層される構造を有することができる。
【００５５】
もちろん、反射防止層１２０は、第１実施例のように、第２タッチシート２２４の透明フィルム２３０の一面に直接コーティングして形成することができる。
【００５６】
この反射防止層１２０は、第１実施例で説明した反射防止層と同一であり、反射防止層の代わりにハードコーティング層を形成することができ、反射防止層の一面にハードコーティング層を積層することができる。
【００５７】
ベース基板１００の他面には、電磁波遮蔽層１３０が積層され、この電磁波遮蔽層１３０の他面には、粘着層１５０によって積層される色補正層１４０を具備することができる。
【００５８】
図３は、本発明の第３実施例によるディスプレイフィルターを示した断面図である。
【００５９】
第３実施例によるディスプレイフィルターは、第１実施例で説明したディスプレイフィルターと同一な構成を有する。但し、第３実施例では、導電性メッシュ３１０が透明フィルム３２０に形成して構成される電磁波遮蔽層を示す。透明フィルム３２０は、ベース基板１００の他面に粘着層３３０によって積層される。
【００６０】
図４は、本発明の第４実施例によるディスプレイフィルターを示した断面図である。
【００６１】
第４実施例によるディスプレイフィルターは、ベース基板１００と、ベース基板１００の一面に形成され、タッチ入力機能を遂行するタッチ信号感知部４００と、タッチ信号感知部４００の一面に形成される反射防止層４１０と、ベース基板１００の他面に形成される色補正層４２０とを含む。
【００６２】
第４実施例によるタッチ信号感知部４００は、ベース基板１００の一面に導電性メッシュパターン４３０を形成して具備される第１タッチシート４０２と、該第１タッチシート４０２の上側に一定エアギャップ（Ｔ）をおいて配置され、透明フィルム４５０の一面に電極層４４０を形成して具備される第２タッチシート４０４とで構成される。
【００６３】
ここで、ベース基板１００の一面に形成される導電性メッシュパターン４３０は、透明フィルム４５０の一面に形成されるＩＴＯ材質の導電性物質で構成される電極層４４０と接触して、接触位置の電位値を検出し、接触された地点を認識するタッチによる情報入力機能を遂行する。
【００６４】
すなわち、導電性メッシュパターン４３０は、銅、クロム、ニッケル、銀、モリブデン、タングステン、アルミニウムなど電気導電性が優秀な金属でベース基板１００の一面に形成され、タッチシートの導電性物質の役割を遂行する。
【００６５】
このような導電性メッシュパターン４３０は、電極層４４０の代わりに使用して第２タッチシート４０４を構成することができる。
【００６６】
反射防止層４１０と色補正層４２０は、第１実施例で説明した反射防止層１３０及び色補正層１２０の構造と同一で、色補正層４２０は、ベース基板１００の他面に粘着層４６０によって積層される。
【００６７】
図５は、本発明の第５実施例によるディスプレイフィルターを示した断面図である。
【００６８】
第５実施例によるディスプレイフィルターは、ベース基板１００と、該ベース基板１００の一面に形成され、タッチ入力機能を遂行するタッチ信号感知部４００と、タッチ信号感知部４００の一面に形成されて色補正機能をする色補正層が一体に形成される反射防止層５００などを含む。
【００６９】
タッチ信号感知部４００は、第４実施例で説明したような導電性メッシュパターン４３０を具備する。
【００７０】
反射防止層５００は、タッチ信号感知部４００の透明フィルム４５０と粘着層５１０によって積層される透明フィルム５２０の一面に形成され、光反射を最小化する機能と色補正機能が一体に形成される。
【００７１】
このような第５実施例によるフィルターは、積層する層数を大幅に減らすことができ、フィルターの厚さを減らすことができる。
【００７２】
前記第１実施例ないし第５実施例で説明したフィルターは、プラズマディスプレイパネル（ＰＤＰ）に使用されるフィルターに、抵抗膜方式でタッチ入力機能が適用される多様な実施例を示している。このようなフィルター構造は、プラズマディスプレイパネル（ＰＤＰ）に限定されるものではなく、どのようなディスプレイにも適用することができる。
【００７３】
図６は、本発明の第６実施例によるディスプレイフィルターを示した断面図である。
【００７４】
第６実施例によるディスプレイフィルターは、ＬＣＤ（Ｌｉｑｕｉｄ  Ｃｒｙｓｔａｌ  Ｄｉｓｐｌａｙ）に適用されるフィルター（保護板）に抵抗膜方式で情報を入力するタッチ信号感知部を一体に具備した構造を示している。このような第６実施例によるフィルターは、ＬＣＤに限定されるものではなく、どのようなディスプレイにも適用することができる。
【００７５】
図６に示されたフィルターは、ベース基板６００と、ベース基板６００の一面に形成されてタッチ方式で情報を入力するタッチ信号感知部６１０と、タッチ信号感知部６１０の一面に形成される第１反射防止層６４０と、ベース基板６００の他面に形成される第２反射防止層６３０などを含む。
【００７６】
タッチ信号感知部６１０は、ベース基板６００の一面に第１電極層６６０を形成して構成される第１タッチシート６０２と、第１タッチシート６０２の上側に一定エアギャップ（Ｔ）をおいて配置され、透明フィルム６５０の一面に第２電極層６７０を形成して構成される第２タッチシート６０４とを含む。
【００７７】
図６に示されたタッチ信号感知部６１０は、第１実施例で説明したタッチ信号感知部と同一であるが、これに限定されるものではなく、第２実施例ないし第５実施例で説明したタッチ信号感知部の中のいずれか一つを適用することができる。
【００７８】
図６に示したように、一実施例においてＬＣＤ用フィルター（保護板）とタッチ信号感知部を一体化した構造は、ベース基板６００の一面に第１電極層６６０を形成して第１タッチシート６０２を構成して、該第１タッチシート６０２と一定ギャップをおいて配置されて透明フィルム６５０の一面に第２電極層６７０を形成して第２タッチシート６０４を構成し、透明フィルム６５０の他面に第１反射防止層６４０を形成することができる。
【００７９】
図６で図面符号６３０は、一実施例において、ベース基板６００の他面に粘着層６２０によって積層される第２反射防止層であることができる。また、他の実施例において、図面符号６３０は、曇り防止層であることができる。
【００８０】
図７は、本発明の第７実施例によるディスプレイフィルターを示した断面図で、図８は本発明の第８実施例によるディスプレイフィルターを示した断面図である。
【００８１】
図７及び図８で示したフィルターは、ＰＤＰ用フィルターに静電容量方式のタッチ信号感知部と一体に構成する構造を示している。
【００８２】
まず、第７実施例によるディスプレイフィルターは、ベース基板７００と、ベース基板７００の一面に形成される反射防止層７２０と、ベース基板７００の他面に形成される電磁波遮蔽層７３０と、電磁波遮蔽層７３０に積層される色補正層７５０と、該色補正層７５０に積層される静電容量方式のタッチ信号感知部７１０とで構成される。
【００８３】
ここで、ベース基板７００、反射防止層７２０、電磁波遮蔽層７３０及び色補正層７５０は、第１実施例で説明したものとその構造及び機能が同一である。したがって、説明を省略することにする。
【００８４】
タッチ信号感知部７１０は、色補正層７５０の一面に粘着層７６０によって積層されるもので、指など身体の一部がディスプレイ表面にタッチすると、そのタッチした位置に静電容量が形成されて静電容量にあたる微弱電流を通電させる透明電極層７１０ｂと、該透明電極層７１０ｂの両面に積層される第１透明フィルム７１０ａ及び第２透明フィルム７１０ｃで構成される。ここで、第１透明フィルム７１０ａと第２透明フィルム７１０ｃは、ＰＥＴフィルムを使用することが好ましい。
【００８５】
図７と図８に示さなかったが、タッチ信号感知部７１０は、透明電極層７１０ｂから入力される電流を使用してディスプレイ表面上のタッチ位置を計算する制御部を含んで具現される。一例として、制御部は、電流検出用抵抗素子と検出された電流を電圧に変換する電流−電圧変換回路と増幅回路とノイズ除去回路とフィルタリング回路とアナログデジタル変換器及びマイクロプロセッサを含んで具現することができる。
【００８６】
このような静電容量方式タッチパネル７１０は、透明電極層７１０ｂが一枚で構成されるので厚さを減らすことができ、高透過率を実現することができ、抵抗膜方式のエアギャップが不要なので、不必要な反射を除去することができる。
【００８７】
各々の層または膜の間には、粘着層７４０を形成して各層の間または各膜の間を積層することができるようにする。
【００８８】
電磁波遮蔽層７３０は、図７に示したように、透明導電膜７３０を適用することができ、図８に示したような導電性メッシュフィルムを適用することができる。このような透明導電膜と導電性メッシュフィルムは、前述した実施例で説明したのと同一な構造を有する。
【００８９】
図８に示したように、導電性メッシュフィルムを適用した場合、導電性メッシュ８００を透明フィルム８１０に形成して、この透明フィルム８１０は粘着層８２０によってベース基板７００の一面に積層される。
【００９０】
図９は、本発明の第９実施例によるディスプレイフィルターを示した断面図である。
【００９１】
第９実施例によるディスプレイフィルターは、ＬＣＤに適用されるフィルター（保護板）に静電容量方式タッチ信号感知部９１０を一体に具備した構造を有する。
【００９２】
すなわち、第９実施例によるフィルターは、ベース基板９００と、該ベース基板９００の一面に形成される反射防止層９２０と、ベース基板９００の他面に粘着層９３０によって一体に形成されるタッチ信号感知部９１０とで構成される。
【００９３】
前記タッチ信号感知部９１０は、指など身体の一部がディスプレイ表面にタッチすると、そのタッチした位置に静電容量が形成されて静電容量にあたる微弱電流を通電させる透明電極層９１０ｂと、該透明電極層９１０ｂの両面に積層される第１透明フィルム９１０ａ及び第２透明フィルム９１０ｃとで構成される。ここで、第１透明フィルム９１０ａと第２透明フィルム９１０ｃは、ＰＥＴフィルムを使用することが好ましい。
【００９４】
図９に示さなかったが、タッチ信号感知部９１０は、透明電極層９１０ｂから入力される電流を使用してディスプレイ表面上のタッチ位置を計算する制御部を含んで具現される。一例として、制御部は、電流検出用抵抗素子と検出された電流を電圧に変換する電流−電圧変換回路と増幅回路とノイズ除去回路とフィルタリング回路とアナログデジタル変換器及びマイクロプロセッサとを含んで具現することができる。
【００９５】
図１０は、本発明の第１０実施例によるディスプレイフィルターを示した断面図である。
【００９６】
第１０実施例によるディスプレイフィルターは、ＬＣＤに適用されるフィルター（保護板）に静電容量方式タッチ信号感知部１０４０を一体に具備した構造を有する。
【００９７】
図示したように、本実施例によるディスプレイフィルターは、反射防止層１０１０と、ベース基板１０２０と、粘着層１０３０によってベース基板１０２０に付着するタッチ信号感知部１０４０と、粘着層１０５０によってタッチ信号感知部１０４０に付着する曇り防止層１０６０とを含んで具現される。
【００９８】
タッチ信号感知部１０４０は、指など身体の一部がディスプレイ表面にタッチすると、そのタッチした位置に静電容量が形成されて静電容量にあたる微弱電流を通電させる透明電極層１０４２と、該透明電極層１０４２に積層される透明フィルム１０４１で構成される。ここで、透明フィルム１０４１は、ＰＥＴフィルムを使用するのが好ましい。
【００９９】
透明電極層１０４２構造は、静電容量方式で信号が入力される電極層を有したどのような形態でも適用が可能である。
【０１００】
図１０に示さなかったが、タッチ信号感知部１０４０は、透明電極層１０４２から入力される電流を使用してディスプレイ表面上のタッチ位置を計算する制御部を含んで具現される。一例として、制御部は、電流検出用抵抗素子と検出された電流を電圧に変換する電流−電圧変換回路と増幅回路とノイズ除去回路とフィルタリング回路とアナログデジタル変換器及びマイクロプロセッサとを含んで具現することができる。
【０１０１】
曇り防止層１０６０は、ディスプレイパネルとディスプレイフィルターとの間の内部空間に存在する湿気によるディスプレイフィルターの曇りを防止する。一例として、曇り防止層１０６０は、水、ポリビニルピロリドン、及び界面活性剤を含む親水性コーティング層をポリエステルフィルムに塗布して具現することができる。
【０１０２】
図１１は、本発明の第１１実施例によるディスプレイフィルターを示した断面図である。
【０１０３】
第１１実施例によるディスプレイフィルターは、ＬＣＤに適用されるフィルター（保護板）に静電容量方式タッチ感知部１１２０を一体に具備した構造を有する。
【０１０４】
図示したように、本実施例によるディスプレイフィルターは、反射防止層１１００と、ベース基板１１２１と、ベース基板１１２１に形成される透明電極層１１２２と、粘着層１１３０を通じて透明電極層１１２２に付着する曇り防止層１１４０とを含んで具現される。
【０１０５】
透明電極層１１２２は、指など身体の一部がディスプレイ表面にタッチすると、そのタッチした位置に静電容量が形成されて静電容量にあたる微弱電流を通電させる。
【０１０６】
図１１に示さなかったが、タッチ信号感知部１１２０は、透明電極層１１２２から入力される電流を使用してディスプレイ表面上のタッチ位置を計算する制御部を含んで具現される。一例として、制御部は、電流検出用抵抗素子と検出された電流を電圧に変換する電流−電圧変換回路と増幅回路とノイズ除去回路とフィルタリング回路とアナログデジタル変換器及びマイクロプロセッサとを含んで具現することができる。
【０１０７】
曇り防止層１１４０は、ディスプレイパネルとディスプレイフィルターとの間の内部空間に存在する湿気によるディスプレイフィルターの曇りを防止する。一例として、曇り防止層１１４０は、水、ポリビニルピロリドン、及び界面活性剤を含む親水性コーティング層をポリエステルフィルムに塗布して具現することができる。
【０１０８】
今までは、説明の便宜上、ＰＤＰ用フィルター及びＬＣＤ用フィルターを対象に説明したが、これに限定されないことはもちろんである。例えば、画像を表示する様々なディスプレイ適用されるフィルターにも本発明を適用することができる。
【図１】
2009271531.tif 000003
【図２】
2009271531.tif 000004
【図３】
2009271531.tif 000005
【図４】
2009271531.tif 000006
【図５】
2009271531.tif 000007
【図６】
2009271531.tif 000008
【図７】
2009271531.tif 000009
【図８】
2009271531.tif 000010
【図９】
2009271531.tif 000011
【図１０】
2009271531.tif 000012
【図１１】
2009271531.tif 000013